(57)【要約】【課題】  住宅の床下の出入口構造において、床下の点検や清掃などを容易に行えるようにする。【解決手段】本発明の住宅の床下の出入口構造は、床下の換気をする換気装置が住宅の基礎に複数設けられた住宅の床下の出入口構造において、複数の換気装置のうち少なくとも１つを、人の出入りが可能な出入口を備えると共に出入口を開閉自在とした開閉型ユニットとし、開閉型ユニット以外の換気装置を、人の出入りが不能な閉鎖型ユニットとしていることを特徴とするものである。なお、開閉型ユニットは、基礎に取り付けられると共に出入口が形成された枠部と、枠部に出入口を開閉するように取り付けられる通気板とを備えており、開閉型ユニットの枠部と通気板との間に、枠部と通気板との間の隙間を目隠しするコーキング部を設けているのが好ましい。【選択図】図１
2011017163.tif 000002
【特許請求の範囲】
【請求項１】
床下の換気をする換気装置が住宅の基礎に複数設けられた住宅の床下の出入口構造において、
前記複数の換気装置のうち少なくとも１つを、人の出入りが可能な出入口を備えると共に当該出入口を開閉自在とした開閉型ユニットとし、
前記開閉型ユニット以外の換気装置を、人の出入りが不能な閉鎖型ユニットとしていることを特徴とする住宅の床下の出入口構造。
【請求項２】
前記開閉型ユニットは、前記基礎に取り付けられると共に前記出入口が形成された枠部と、当該枠部に前記出入口を開閉するように取り付けられる通気板とを備えており、
前記開閉型ユニットの枠部と通気板との間に、当該通気板の縁部を目隠しする目隠し部材を設けていることを特徴とする請求項１に記載の住宅の床下の出入口構造。
【請求項３】
前記目隠し部材にコーキング剤を用い、
前記通気板の縁部には、前記コーキング剤によりコーキングを行ったコーキング部と、当該コーキング剤を設けない非コーキング部とが形成されていることを特徴とする請求項２に記載の住宅の床下の出入口構造。
【請求項４】
前記通気板の上縁部を前記非コーキング部とすると共に、前記上縁部以外の縁部を前記コーキング部とすることを特徴とする請求項３に記載の住宅の床下の出入口構造。
【請求項５】
前記通気板に、前記床下の外部との換気を可能とする通気孔を形成し、
前記通気孔より上側の前記通気板の縁部を前記非コーキング部とすると共に、前記通気孔より下側の前記通気板の縁部を前記コーキング部とすることを特徴とする請求項３又は４に記載の住宅の床下の出入口構造。
【請求項６】
前記開閉型ユニットに、前記枠部に対する通気板の開閉を検知するセンサを設けることを特徴とする請求項１〜５のいずれかに記載の住宅の床下の出入口構造。
【発明の詳細な説明】
【技術分野】
【０００１】
本発明は、住宅の床下の出入口構造に関するものである。
【背景技術】
【０００２】
一般に戸建ての住宅や集合住宅のような小・中規模の住宅は、地面に打設された基礎の上に建物を組み立てて建築される。このようにして建築された住宅は床下空間（以下、単に床下という）を隔てて地面に接しており、地面や基礎に用いられるコンクリートなどから水分が蒸散しやすいため、床下には湿気が溜まりやすい。
床下に湿気が溜まると、カビやシロアリなどの病害虫が発生したり、木材や金属材の腐食を起こしたりする虞がある。
また、床下には給排水の配管、電気配線、又は電話線などが配設されており、これらにトラブルが起こったときや定期点検の折には床下に作業員が出入りすることがある。また、床下に病害虫などが発生した場合にも駆除や清掃のために床下に作業員が出入りすることがある。そこで、例えば特許文献１では、住宅の床下に出入りできる出入口を床面に設けておき、この出入口を塞ぐ蓋部材を必要に応じて開閉することで床下への作業員の進入を許容できるようにしている。
【先行技術文献】
【特許文献】
【０００３】
【特許文献１】特開２００１−１４０３０２号公報
【発明の概要】
【発明が解決しようとする課題】
【０００４】
ところで、床面に出入口を設けると、このような出入口は他の部分より目立ちやすいため、室内の美観を損なう虞がある。そこで、特許文献１では出入口をキッチンに設けられた床下貯蔵庫の上に設けて、室内の美観を損なわないように配慮している。
しかし、このような床下貯蔵庫には通常食品などの貯蔵品が収納されているため、収納庫を移動させて出入りするためには貯蔵品をすべて収納庫内から移動させる必要がある。つまり、特許文献１の床下構造では、点検や清掃に先だって面倒で大がかりな作業が必要となり、点検作業や清掃作業の効率を考えると好ましいものとは言えなかった。
【０００５】
本発明は、上述の問題に鑑みてなされたものであり、床下の点検や清掃などを容易に行うことができる住宅の床下の出入口構造を提供することを目的とする。
【課題を解決するための手段】
【０００６】
前記目的を達成するため、本発明は次の技術的手段を講じている。
即ち、本発明に係る住宅の床下の出入口構造は、床下の換気をする換気装置が住宅の基礎に複数設けられた住宅の床下の出入口構造において、前記複数の換気装置のうち少なくとも１つを、人の出入りが可能な出入口を備えると共に当該出入口を開閉自在とした開閉型ユニットとし、前記開閉型ユニット以外の換気装置を、人の出入りが不能な閉鎖型ユニットとしていることを特徴とするものである。
発明者は、住宅の基礎には床下の換気のために換気装置（換気口）が形成されているので、この換気装置を人の出入りが可能な出入口として用いることはできないかと考えた。そして、複数の換気装置のうち少なくとも１つを、人が出入りできるよう開閉する開閉型ユニットとすることで、床下の点検作業や清掃作業などが容易に行えるようになることを知見して、本発明を完成させたのである。
【０００７】
それゆえ、本発明に係る住宅の床下の出入口においては、出入口を確保するためにいちいち貯蔵品を移動させる手間をかけることなく、床下の点検作業や清掃作業などを容易に行うことができる。
なお、このように換気装置を開閉可能にすると、防犯上好ましくない場合もある。このような場合は、前記開閉型ユニットを前記基礎に取り付けられると共に前記出入口が形成された枠部と、当該枠部に前記出入口を開閉するように取り付けられる通気板とを備えたものとした上で、さらに前記開閉型ユニットの枠部と通気板との間に、当該枠部と通気板との間の隙間を目隠しする目隠し部を設けると良い。
【０００８】
このようにすれば、開閉型ユニットを閉鎖型ユニットと見分ける上で目印となる枠部と通気板との間の隙間が目立たなくなり、開閉型ユニットと閉鎖型ユニットとの見分けがつき難くなって高い防犯効果を発揮させることができる。
また、前記目隠し部材にコーキング剤を用いる場合には、通気板の縁部には、前記コーキング剤によりコーキングを行ったコーキング部と、当該コーキング剤を設けない非コーキング部とが形成されているのが好ましい。
このように通気板の縁部の一部だけをコーキングしてコーキング部とし、残りを非コーキング部としておけば、コーキング部が通気板の縁に沿って有端且つ連続したものとなり、いずれかの端を起点としてコーキング部を簡単に切る（切り込みを入れる）ことが可能となる。その結果、点検や清掃で床下に入りたいときには短時間でコーキング部を取り除いて床下に入ることができ、床下の点検や清掃などの作業効率をさらに向上させることができる。
【０００９】
なお、前記通気板の上縁部を前記非コーキング部とすると共に、前記上縁部以外の縁部を前記コーキング部とすることができる。
また、前記通気板に、前記床下の外部との換気を可能とする通気孔を形成し、前記通気孔より上側の前記通気板の縁部を前記非コーキング部とすると共に、前記通気孔より下側の前記通気板の縁部を前記コーキング部とすることもできる。
このようにすれば、枠部と通気板との隙間、言い換えれば通気板の縁部を目立たなくできるだけでなく、通気孔より下側の部分における防水性を高めることができるようになる。
【００１０】
さらに、前記開閉型ユニットには、前記枠部に対する通気板の開閉を検知するセンサを設けても良い。
このようにすれば、開閉型ユニットを開閉して不審者が侵入したことを察知することが可能となり、防犯効果をさらに高めることが可能となる。
【発明の効果】
【００１１】
本発明に係る住宅の床下の出入口構造により、床下の点検作業や清掃作業などを容易に行うことができる。
【図面の簡単な説明】
【００１２】
【図１】本発明に係る床下の出入口構造の間取り図である。
【図２】換気装置の取付状態を示す斜視分解図である。
【図３】開閉型ユニットの開閉動作を示す図である。
【図４】図３のＡ−Ａ線断面図である。
【図５】図４のＢ−Ｂ線断面図である。
【図６】開閉型ユニットと閉鎖型ユニットとを正面から見た図である。
【図７】通気板のコーキング状態を示す図である。
【図８】従来例の出入口構造の間取り図である。
【発明を実施するための形態】
【００１３】
以下、本発明の住宅の床下の出入口構造１を図面に基づき説明する。
まず、本発明の床下の出入口構造（以下、単に床下構造１という）１は、戸建ての家屋やアパートなどの集合住宅のような小・中規模の住宅の基礎２に適用されるものである。このような住宅は、地面Ｇに打設された基礎２（コンクリート布基礎）の上に建物３が組み立てられており、建物３と地面Ｇとの間には床下４（床下空間）が形成されている。
図１に示されるように、基礎２は、地面Ｇに打設されたコンクリートで形成されており、建物３（住宅）の周囲に沿って配設された外壁５と、建物３（住宅）の内側に配設された内壁６とで構成されている。この基礎２で床下４は複数の床下区画４ａに区切られており、また基礎２には所定間隔で複数の凹部８が形成されている。そして、これらの凹部８のうち外壁５に形成されたものにはそれぞれ換気装置７が配備されている。
【００１４】
なお、以降の説明において、基礎２で囲われた内側（床下空間）を床下構造１を説明する際の内部、外側（室外）を外部という。また、図４の上下を換気装置７を説明する際の上下、図５の左右を換気装置７を説明する際の左右とする。
図２に示されるように、凹部８は、外壁５の天面５ａを地面Ｇに向かってコの字状に凹ませた部分であり、外壁５の内外を貫通するように形成されている。凹部８は、左右の側面５Ｌ、５Ｒと底面５Ｂとを備えている。凹部８の左右の側面５Ｌ、５Ｒ及び底面５Ｂは、いずれも内部に水が浸入し難いように外側に向かってテーパ状（傾斜状）に形成されている。また、左右の側面５Ｌ、５Ｒの屋外に面する縁には、外部に向かうにつれて左右方向の開口幅が大きくなるように段差状に形成された段部１５Ｌ、１５Ｒがそれぞれ形成されている。
【００１５】
外壁５の天面５ａには、板状に形成された住宅の外壁パネル１６が垂直に起立して載置されている。この外壁パネル１６の下側にはアルミなどの押出材（型材）で形成された水切り部材１７が取り付けられている。
換気装置７は、人や病害虫の侵入を防げるように板状に形成されており、また内外を貫通するように形成された換気用の孔（換気孔２１）を通じて床下４に外気を流出入させて床下４の換気を可能とする装置である。
さて、従来の床下構造において床下に出入りする場合は、例えば図８に示されるように床下４（床下４に設けられた排水管１４）に対して人の出入りが可能なハッチ１０を床に設ければ、ハッチ１０から経路Ｒを通って点検場所や清掃場所に作業員が入ることができ、点検や清掃を行うことも可能となる。
【００１６】
ところが、このようなハッチ１０は、室内の美観を損なう心配がない床下貯蔵庫の中などに設けられることが多い。それゆえ、ハッチ１０をあけて床下４への進入経路Ｒを確保するためにはまず床下貯蔵庫の貯蔵品などを移動させたり貯蔵庫自体を取り出して進入口を確保したりする必要がある。つまり、点検や清掃に先立って大がかりで面倒な作業が必要であり、点検や清掃の作業効率を著しく悪くしていた。また、収納庫に附着している床下の土が室内に持ち込まれ、衛生上問題があることが多かった。
そこで、本発明の床下構造１では、床に設けたハッチ１０の代わりに複数の換気装置７のいずれかを開閉して床下４に出入りできるようにしている。詳しくは、図１に示されるように、複数の換気装置７のうち少なくとも１つを、人の出入りが可能な出入口１１を備えると共に出入口１１を開閉自在とした開閉型ユニット１２とし、開閉型ユニット１２以外の換気装置７を人の出入りが不能な閉鎖型ユニット１３として、外部から開閉型ユニット１２を経由して点検や清掃を行う配管等１４に至る経路Ｒを通って作業員が直接床下４に出入りできるようにしている。
【００１７】
本実施形態では、図１に示されるように外壁５の凹部８に設けられた換気装置７のうち、１つを開閉型ユニット１２とし、他の換気装置７を閉鎖型ユニット１３としている。開閉型ユニット１２が配備される箇所は、点検作業や清掃作業時にアプローチしやすいように排水管、水道管、又は電気配線などの配管等１４（点検対象や清掃対象）に近い方が好ましい。なお、図１の例は、配管等１４が設けられた床下区画４ａの換気装置７が開閉型ユニット１２とされ、それ以外が閉鎖型ユニット１３とされている。
図２〜図５に示すように、開閉型ユニット１２は、基礎２の凹部８に嵌め込み状態で取り付けられる枠部１８と、この枠部１８に取り付けられる通気板１９とを備えている。
【００１８】
枠部１８は、左右一対の枠部材１８Ｌ、１８Ｒと上下一対の枠部材１８Ｔ、１８Ｂとを端部同士で連結させて、凹部８の左右方向及び上下方向の幅よりやや小さいサイズに形成されている。枠部１８の中央には人（作業員）がくぐり抜けられる程度の大きさに開口した出入口１１が形成されており、この出入口１１を閉鎖可能な大きさの通気板１９が枠部１８に対して回動自在に枢支されている。
枠部１８の左枠部材１８Ｌには左方向に張り出した左張り出し部２０Ｌが、また右枠部材１８Ｒには右方向に張り出した右張り出し部２０Ｒがそれぞれ形成されている（図５参照）。左右張り出し部２０Ｌ、２０Ｒは凹部８に形成された段部１５Ｌ、１５Ｒにそれぞれ嵌入可能な大きさに形成されている。
【００１９】
通気板１９は、枠部１８の出入口１１を閉鎖可能な大きさに形成された板部材であり、上下軸回りに回動自在に枠部１８に対して取り付けられている。通気板１９には床下４の内外に連通するスリット状の通気孔２１が形成されており、この通気孔２１を介して床下４の換気が可能となっている。
図３〜図５に示すように、上述の開閉型ユニット１２は基礎２の凹部８に以下のような手順で取り付けることができる。まず枠部１８を凹部８に挿し込む。次に、図４、図５に示すように、凹部８に挿し込まれた枠部１８に対しては、ボルトなどの締結具を用いて固定する。このとき、枠部１８と水切り部材１７の間や枠部１８と凹部８との間には隙間ができるので、これらの隙間をコーキング剤２５などを用いて埋める。このようにすれば、開閉型ユニット１２を凹部８に水密状態で取り付けることができる。
【００２０】
このような開閉型ユニット１２に対して、人の出入りができない閉鎖型ユニット１３は、開閉型ユニット１２と異なった構造を備えている。次に、閉鎖型ユニット１３について説明する。
閉鎖型ユニット１３は、凹部８に対してこの凹部８を閉鎖するものであって、出入口１１は形成されていないものである。くわしくは、閉鎖型ユニット１３は、開閉型ユニット１２とは異なり、枠部１８と通気板１９とが別部材として形成されておらず、枠部１８と通気板１９とが一体化したものである。また、閉鎖型ユニット１３は、締結具やコーキング剤２５を用いて凹部８に対して嵌め込まれて開閉不能となっている。
【００２１】
さて、開閉型ユニット１２は、枠部１８に対して通気板１９が回動可能に取り付けられるため、両者の相対回動を許容できるように枠部１８と通気板１９との間に隙間が形成されており、正面から見るとこの隙間が視認できるようになっている。一方、閉鎖型ユニット１３は、開閉型ユニット１２のように枠部１８と通気板１９とが別部材となっていないので、枠部１８と通気板１９との間に隙間が形成されておらず、正面から見ても隙間は視認できない。つまり、通気板１９の縁に沿った隙間が正面から見えるかどうかで、開閉型ユニット１２と閉鎖型ユニット１３とを見分けることができる。
【００２２】
ところが、このように複数の換気装置７のうちどれが開閉型ユニット１２であるかが一目瞭然であると、外部から泥棒などの侵入を許容しやすくなる虞がある。そこで、図６（ａ）に示されるように、本発明の床下構造１では、開閉型ユニット１２の枠部１８と通気板１９との間に通気板１９の縁部２６を目隠しする目隠し部材２２を設けている。このように枠部１８と通気板１９との間に目隠し部材２２を設ければ、図６（ｂ）に示した閉鎖型ユニット１３に対して開閉型ユニット１２を区別する上で特徴となる枠部１８と通気板１９との隙間が目立たなくなり、開閉型ユニット１２を閉鎖型ユニット１３との見分けが簡単に付かなくなって、高い防犯効果を発揮させることができる。
【００２３】
目隠し部材２２は、枠部１８と通気板１９との隙間を隠すコーキング剤である。このコーキング剤は、通気板１９又は枠部１８と同色であり、通気板１９と枠部１８との隙間を目立たなくして通気板１９の縁部２６を目隠しできるようになっている。通気板１９の縁部２６はコーキング剤により下側の一部分だけがコーキングがされ、残りの部分はコーキングされることはない。つまり、通気板１９の全周に亘る縁部２６のうち、このコーキングを行った部分（下側の一部分）が有端のコーキング部２３とされ、コーキングされることがない残りの部分、言い替えればコーキング剤を設けない部分が非コーキング部２４とされている。
【００２４】
このように通気板１９の縁部２６に沿ってこの縁部２６の下側の一部分だけをコーキングして有端なコーキング部２３とすれば、コーキング部２３により通気板１９と枠部１８との隙間が目隠しされると共にシールされ、縁部２６を目隠しすると共に通気板１９が開閉可能であるにも関わらず開閉型ユニット１２の防水性を高めることができる。
上述のように通気板１９の縁部２６を部分的にコーキングする場合には、図７に示すような部分だけをコーキングすることができる。
図７（ａ）の例は、上縁部２６Ｕを残して残りの縁部２６を全てコーキングしたものである。つまり、図７（ａ）の例では、通気板１９の全周に亘る縁部２６のうち、このコーキング剤を設けない上縁部２６Ｕが非コーキング部２４とされ、コーキングを行った左右縁部２６Ｌ、２６Ｒ及び下縁部２６Ｂがコーキング部２３とされている。また、コーキング部２３は左右縁部２６Ｌ、２６Ｒと下縁部２６Ｂとに跨って連続して設けられており、枠部１８の下側の隙間を全てシールしている。
【００２５】
図７（ａ）の例では、水切り部材１７に隠されて見えにくい通気板１９の上縁部２６Ｕだけが非コーキング部２４とされているので、開閉型ユニット１２に近づかなければ非コーキング部２４を確実に視認することはできないので、開閉型ユニット１２と閉鎖型ユニット１３との見分けも付きにくくなり、高い防犯効果を奏することが可能となる。
また、図７（ｂ）の例は、通気孔２１を境として通気孔２１の下側だけをコーキングしたものである。図７（ｂ）の例では、通気板１９の全周に亘る縁部２６のうち、通気孔２１の下縁より下側の部分がコーキング部２３とされ、通気孔２１より上側の部分が非コーキング部２４とされている。
【００２６】
このように通気孔２１の下縁より下側の部分を全てをコーキングすれば、浸水があった場合も通気孔２１の高さまで水位が高くならなければ水が床下に入り込むことがない。それゆえ、コーキング部２３によるシール効果で床下４への浸水を防止することができる。また、コーキング部２３の長さが短くて済むため、コーキング作業を短時間で簡単に済ませることができ、作業効率にも優れている。さらに、非コーキング部２４の大部分は図７（ａ）の場合と同様に水切り部材１７に隠されて見えにくくなっているので、開閉型ユニット１２と閉鎖型ユニット１３との見分けも付きにくく、高い防犯効果を維持することも可能となる。
【００２７】
さらに、図７（ｃ）の例は、通気板１９の上縁部２６Ｕの一部のみを残して、残りの縁部２６を全てコーキングしたものである。図７（ｃ）の例では、通気板１９の全周に亘る縁部２６のうち、このコーキング剤が設けられることがない上縁部２６Ｕの一部だけが非コーキング部２４とされ、それ以外の上縁部２６Ｕ、左右縁部２６Ｌ、２６Ｒ及び下縁部２６Ｂが全てこのコーキングが行われており、コーキング部２３とされている。図７（ｃ）の例では、上縁部２６Ｕの一部を除き全ての縁部２６がコーキングされている（コーキング部２３とされている）ため、防犯性を高めると共に防水性にも優れている。
【００２８】
次に、図７（ａ）のように左右縁部２６Ｌ、２６Ｒ及び下縁部２６Ｂをコーキングする場合を例に挙げて、開閉型ユニット１２の開閉動作を説明する。
開閉型ユニット１２を回動する場合は、まず予め設置されていたコーキング剤（コーキング部２３）をカッターなどで切る必要がある。図７（ａ）のようにコーキング剤が設けられている場合は、コーキング部２３は左右縁部２６Ｌ、２６Ｒ及び下縁部２６Ｂに跨って連続して設けられており、その端は左右縁部２６Ｌ、２６Ｒの上側の隅Ｐに位置している。それゆえ、例えばカッターを用いて位置Ｐから下方に向かって右側のコーキング部２３に切り込みを入れ、次にコーキング部２３に水平方向に沿って下縁部２６Ｂに切り込みを入れ、最後に左側のコーキング部２３に下端から上端まで切り込みを入れれば、通気板１９と縁部２６との間のコーキング部２３を全て切断することができる。そして、コーキング部２３を切断した後に、通気板１９を枠部１８に対して回動させれば、出入口１１が開いて作業員が床下に出入りできるようになる。
【００２９】
特に、非コーキング部２４が形成されているため、当該非コーキング部２４を見ることによって、通気板１９と枠部１８との隙間の位置が分かり、これにより、コーキング剤２３に隠れている隙間の位置も推測することができる。その結果、コーキング剤２３に対して隙間の対応する位置に切り込みを容易に入れることが可能となり、隙間に沿ってコーキング剤２３を切断することができる。
このように、コーキング剤２３によって通気板１９と枠部１８との隙間が隠れている場合でも、非コーキング部２４を利用することによって隙間に沿うようにコーキング剤２３を切断できるため、開閉型ユニット１２を回動させるためのコーキング剤２３の切断作業を非常にスムーズに進めることができる。
【００３０】
一方、開閉型ユニット１２を閉じる場合は、粗方、コーキング部２３を取り除いて開閉型ユニット１２を閉じ、再度コーキングをすれば良い。このようにすれば、コーキング部２３により枠部１８と通気板１９との隙間が目隠しされて閉鎖型ユニット１３と開閉型ユニット１２との見分けがつかない状態にすることができる。
なお、開閉型ユニット１２には、通気板１９と枠部１８との間に通気板１９が枠部１８に対して開閉しないように施錠する鍵が設けられている。このような鍵により床下構造１の防犯性を更に高めることができる。
【００３１】
また、通気板１９と枠部１８との間に枠部１８に対して通気板１９の開閉したことを検知するセンサ（図示略）を設けることもできる。このようなセンサとしては、例えば枠部１８と通気板１９との間にリミットスイッチを設けておき、枠部１８に対して通気板１９の開けるとリミットスイッチが通気板１９の回動を検知するようなものを採用することができる。このようなセンサを設けることで、防犯効果をさらに強化することができ、床下構造１のセキュリティをより高めることが可能となる。
本発明は上記各実施形態に限定されるものではなく、発明の本質を変更しない範囲で各部材の形状、構造、材質、組み合わせなどを適宜変更可能である。
【００３２】
例えば、上記実施形態では複数の換気装置７のうち１つが開閉型ユニット１２とされ、残りが閉鎖型ユニット１３とされたものを例示して本発明の床下構造１を説明した。しかし、開閉型ユニット１２は２つ以上設けられていても良い。
例えば、上記実施形態では目隠し部材２２としてコーキング剤を用いたものを例示したが、目隠し部材２２にはコーキング剤以外のもの、例えば目隠し板として耐候性のある可塑性の目地材のようなものを通気板１９の縁部２６に沿って設けても良い。
【符号の説明】
【００３３】
１  床下構造
２  基礎
３  建物
４  床下
４ａ  床下区画
５  外壁
５Ｂ  基礎（外壁）の底面
５Ｌ  基礎（外壁）の左側面
５Ｒ  基礎（外壁）の右側面
５ａ  基礎（外壁）の天面
６    内壁
７    換気装置
８    凹部
１０  ハッチ
１１  出入口
１２  開閉型ユニット
１３  閉鎖型ユニット
１４  排水管
１５Ｌ左段部
１５Ｒ右段部
１６  外壁パネル
１７  水切り部材
１８  枠部
１８Ｌ左板部材
１８Ｒ右板部材
１９  通気板
２０Ｌ左張り出し部
２０Ｒ右張り出し部
２１  通気孔
２２  目隠し部材
２３  コーキング部
２４  非コーキング部
２５  コーキング剤
２６  縁部
Ｇ  地面
Ｒ  （進入）経路
【図１】
2011017163.tif 000003
【図２】
2011017163.tif 000004
【図３】
2011017163.tif 000005
【図４】
2011017163.tif 000006
【図５】
2011017163.tif 000007
【図６】
2011017163.tif 000008
【図７】
2011017163.tif 000009
【図８】
2011017163.tif 000010